(57)【要約】      （修正有）【課題】アルバム保管及び額縁の機能をすべて具現できることで、アルバム紛失の防止とアルバム収納空間を節約する額を提供する。【解決手段】ケース兼用額縁１００は、片面側が開口されて内部収容空間を持つ第１額縁部１１０、及び上記第１額縁部１１０に分離可能になるように結合され、片面側が開口されて内部収容空間を持つように用意されている、上記第１額縁部１１０と結合された状態で上記第１額縁部１１０との間に一体化された内部収容空間を形成可能な第２額縁部１２０を含む。【選択図】図２
2014008407.tif 000002
【特許請求の範囲】
【請求項１】
片面側が開口されて内部収容空間を持つ第１額縁部、及び上記第１額縁部に分離可能になるように結合されて、片面側が開口されて内部収容空間を持つように用意されている、上記第１額縁部と結合された状態で上記第１額縁部との間に一体化された内部収容空間を形成可能な第２額縁部を含むケース兼用額縁。
【請求項２】
請求項１において、上記第１額縁部及び上記第２額縁部のそれぞれの外面には印刷物が更に付着するケース兼用額縁。
【請求項３】
請求項１において、上記第１額縁部及び上記第２額縁部がお互いに結合された状態で上記第１額縁部及び上記第２額縁部の内部収容空間に収容されるアルバムを更に含むケース兼用額縁。
【請求項４】
請求項３において、上記第１額縁部及び上記第２額縁部にはお互いに分離及び結合が可能になるようにそれぞれ少なくとも一つのマグネットが用意されるケース兼用額縁。
【請求項５】
請求項４において、上記第１額縁部及び上記第２額縁部はそれぞれ端を形成する端フレームと上記端フレームに繋がれるプレートを含んで、上記少なくとも一つのマグネットは上記第１額縁部及び第２額縁部の端フレームにそれぞれ用意されるケース兼用額縁。
【請求項６】
請求項１において、上記第１額縁部及び上記第２額縁部の端フレームには複数のエムボス突起またはスリット突起が更に用意されるケース兼用額縁。
【請求項７】
請求項１において、上記第１額縁部及び上記第２額縁部にはそれぞれ額縁壁掛けが更に用意されたケース兼用額縁。
【発明の詳細な説明】
【技術分野】
【０００１】
本発明は、ケース兼用額縁に関し、より詳細には、必要に応じて分離して個別的に額縁として使用できるのみではなく、額縁を結合した後の内部収容空間に別途の収納物を収容して保管することができるケース兼用額縁に関するものである。
【背景技術】
【０００２】
一般的に、額縁は、壁掛け用または卓上用タイプなどに仕分け可能である。
【０００３】
このような額縁は、主に写真またはポスターなどをディスプレイする用途で使われる。そして、写真の枚数が多い場合には、額縁とは別に、アルバムに写真等を保管するようになる。
【０００４】
また、特許文献１に示すように、ＣＤケースを飾ることのできる額縁も存在している。
【先行技術文献】
【特許文献】
【０００５】
【特許文献１】特開２００２−５１８８５号公報
【発明の概要】
【発明が解決しようとする課題】
【０００６】
しかしながら、従来においては、このように複数の写真を保管するアルバムと、例えば一枚の写真をディスプレイする額縁が、別々に使われていたため、アルバムを紛失してしまう事態が生じたり、また、アルバムを保管するときの占有空間が増大するという短所が発生していた。
【０００７】
また、特許文献１に示す額縁では、ＣＤケースを飾ることができるものの、ＣＤケース以上の厚みを有するアルバムを収納することは困難であった。
【０００８】
そこで、本発明の目的は、必要に応じて分離し、個別的に額縁として使うことだけではなく、額縁を結合した後の内部収容空間に、別途の収納物を収容して保管することができるケース兼用額縁を提供することである。
【０００９】
本発明の他の目的は、必要に応じて個別的に分離する場合、使用者が少量の力でも分離可能なケース兼用額縁を提供することである。
【００１０】
尚、本発明の解決課題は、以上に言及されたものなどに限定されず、当業者が容易に理解できるものを広く含むものとする。
【課題を解決するための手段】
【００１１】
上記目的は、片面側が開口されて内部収容空間を持つ第１額縁部、及び上記第１額縁部に分離可能になるように結合されて、片面側が開口されて内部収容空間を持つように用意されている、上記第１額縁部と結合された状態で上記第１額縁部との間に一体化された内部収容空間を形成可能な第２額縁部を含むケース兼用額縁によって達成される。
【００１２】
ここで、上記第１額縁部及び上記第２額縁部のそれぞれの外面には印刷物を更に付着することができる。
【００１３】
上記第１額縁部及び上記第２額縁部がお互いに結合された状態で上記第１額縁部及び上記第２額縁部の内部収容空間に収容されるアルバムを更に含むことができる。
【００１４】
上記第１額縁部及び上記第２額縁部にはお互いに分離及び結合が可能になるように、それぞれ少なくとも一つのマグネットが用意されている。
【００１５】
上記第１額縁部及び上記第２額縁部はそれぞれ端を形成する端フレームと上記端フレームに繋がれるプレートを含んで、上記少なくとも一つのマグネットは上記第１額縁部及び第２額縁部の端フレームにそれぞれ用意されている。
【００１６】
上記第１額縁部及び上記第２額縁部の端フレームには複数のエンボス突起またはスリット突起が更に用意されている。
【００１７】
上記第１額縁部及び上記第２額縁部にはそれぞれ額縁壁掛けが更に用意されている。
【発明の効果】
【００１８】
本発明に係るケース兼用額縁は、次のような効果を持つ。
【００１９】
第一に、少なくとも一つのマグネットを用意することで、第１額縁部及び第２額縁部を結合してアルバムなどを保管するケースとして使うことだけではなく、必要に応じて分離した後、それぞれ別途の額縁として使うことができる。
【００２０】
第二に、アルバム保管及び額縁の機能をすべて具現できることで、アルバム紛失防止とアルバム収納空間を節約することができる。
【００２１】
第三に、第１及び第２額縁部の端フレームにそれぞれ複数のエンボス突起が用意されることで、使用者が第１及び第２額縁部を少量の力で簡単に分離することができる。
【００２２】
この他、本発明に係るケース兼用額縁においては、第１及び第２額縁部の端フレームのそれぞれに、例えば、両面写真を付着させた状態で、第１及び第２額縁部を分離し、別々に額縁フレームとして壁に掛けたり、卓上用としてディスプレイすることができる。
【００２３】
また、マグネットを介して、例えば、第１額縁部と第２額縁部を、個別に冷蔵庫や壁に貼り付けて使用することもできる。
【００２４】
尚、本発明に係るケース兼用額縁においては、写真の上にガラスやアクリルを用いた部材を配置していないことから、地震などを原因としてケース兼用額縁が落下してしまった場合においても、ガラスやアクリルが割れて飛び散るような額縁の破損状態の発生を防止することができる。
【００２５】
本発明の効果は、以上に言及されたものなどに限定されず、当業者が容易に理解できるものを広く含むものとする。
【図面の簡単な説明】
【００２６】
【図１】本発明の実施例によるケース兼用額縁を示す斜視図である。
【図２】本発明の実施例によるケース兼用額縁を分離した状態を示す斜視図である。
【図３】本発明の実施例によるケース兼用額縁の側断面図である。
【図４】本発明の実施例によるケース兼用額縁に、エムボス突起が用意されている状態を示す斜視図である。
【発明を実施するための形態】
【００２７】
以下、添付された図面を参照して本発明の実施例を更に詳しく説明する。
【００２８】
本発明は以下で開示される実施例に限定されるのではなく、お互いに違う多様な形態に具現されるはずであり、ただ本実施例は本発明の開始が完全になるよう通常の知識を持った者に発明の範疇を完全に知らせるために提供されるものである。
【００２９】
図面上で同一符号は等しい要素を指称する。
【００３０】
図１は本発明の実施例によるケース兼用額縁を現わす図で、図２は本発明の実施例によるケース兼用額縁を現わす分解図であり、図３は図１の側断面図で、図４は本発明の実施例によるケース兼用額縁にエムボス突起が用意された状態を現わすものである。
【００３１】
本発明の望ましい実施例によるケース兼用額縁（以下、'額縁'とする）は、使用者が願う対象物（例えば、アルバムなど）を収容することができるケース機能を兼ねながら、額縁として使用できるものである。
【００３２】
図１ないし図３のように、このような額縁（１００）は、片面側が開口されて内部収容空間を持つ第１額縁部（１１０）、及び第１額縁部（１１０）に分離可能になるように結合されて、同じく片面側が開口されて内部収容空間を持つように用意される第２額縁部（１２０）を備えている。
【００３３】
額縁（１００）は、第１額縁部（１１０）と第２額縁部（１２０）により構成されており、第１額縁部（１１０）と第２額縁部（１２０）を結合させたとき、第１額縁部（１１０）の開口と第２額縁部（１２０）の開口が合わさって、所定の内部収容空間を形成するのである。
【００３４】
ここで、第１額縁部（１１０）及び第２額縁部（１２０）は、それぞれ端を形成する端フレーム（１１１，１２１）と、端フレーム（１１１，１２１）に繋がれるプレート（１１２，１２２）により構成されている。
【００３５】
一方、本実施例で、第１額縁部（１１０）及び第２額縁部（１２０）のそれぞれの外面には、印刷物（１３０）、具体的に写真などが更に付着可能である。そして、前記したプレート（１１２，１２２）を、透明部材により形成すると、両面印刷物（１３０）や、両面写真を付着させたとき、第１額縁部（１１０）と第２額縁部（１２０）において、印刷物（１３０）や写真の図柄を、開口されている片面側からも認識することができる。
【００３６】
また、第１額縁部（１１０）及び第２額縁部（１２０）には、それぞれ紐または掛けられるブラケットタイプの額縁掛けを更に用意する(設ける)こともできる。
【００３７】
したがって、図２のように、使用者が第１及び第２額縁部（１１０，１２０）を別々に分離した後にそれぞれを使用する場合、第１及び第２額縁部（１１０，１２０）の額縁掛けを、壁に設置された釘などに掛けて実質的に２個の額縁として使うことができる。これと別に、額縁掛けが用意されない場合には、下記で説明する。
【００３８】
本実施例では、第１額縁部（１１０）と第２額縁部（１２０）がお互いに結合した状態で、第１額縁部（１１０）と第２額縁部（１２０）の間には、一体化された内部収容空間が形成される。
【００３９】
具体的に、第１額縁部（１１０）及び第２額縁部（１２０）には、お互いに分離及び結合が可能になるように、それぞれ少なくとも一つのマグネット（１４０）が用意されている。このようなマグネット（１４０）には、金属材質またはゴム材質を適用可能である。
【００４０】
ここで、少なくとも一つのマグネット（１４０）は、第１額縁部（１１０）及び第２額縁部（１２０）の端フレーム（１１１，１２１）に、それぞれお互いに分離及び結合が可能となるように配置されている。
【００４１】
すなわち、本実施例による額縁は、第１額縁部（１１０）に用意されたマグネット（１４０）と第２額縁部（１２０）に用意されたマグネット（１４０）を付着して、第１額縁部（１１０）と第２額縁部（１２０）を、お互いに付着可能である。この様に、少なくとも一つのマグネット（１４０）は、第１額縁部（１１０）と第２額縁部（１２０）に用意される一対のマグネット（１４０）を意味している。一方、マグネット（１４０）をお互いに分離し、第１額縁部（１１０）と第２額縁部（１２０）を分離させた後、別途卓上用または壁掛け用額縁機能として使用することができる。
【００４２】
一例で、壁掛け用で使用する場合、対象壁にあらかじめマグネット（１４０）と付着可能な別途の金属部材などを付着した後、マグネット（１４０）をここに対応した場所に付着することで、第１額縁部（１１０）と第２額縁部（１２０）を、個別に壁に固定することが可能となる。
【００４３】
尚、第１額縁部（１１０）と第２額縁部（１２０）のマグネット（１４０）は、外部から見えるように図示されているが、これに限定されることはなく、マグネット（１４０）が外部から見えないように、端フレーム（１１１，１２１）に内蔵させても良い。
【００４４】
また、端フレーム（１１１，１２１）の全体や一部を所定の薄布部材で覆って、マグネット（１４０）が外部から見えないようにしても良い。
【００４５】
更に、第１額縁部（１１０）と第２額縁部（１２０）の、開口されている片面側を見えるようにして、第１額縁部（１１０）と第２額縁部（１２０）を固定できるように、マグネット（１４０）を端フレーム（１１１，１２１）に配置しても良い。
【００４６】
本実施例では、第１額縁部（１１０）と第２額縁部（１２０）がお互いに結合した状態で、その内部収容空間にはアルバム（１５０）を更に収容することができる。
【００４７】
従って、本実施例はアルバム（１５０）を収容可能な空間を提供して、アルバム（１５０）を収納することができる空間を節約することだけではなく、アルバム（１５０）の紛失も最大限防止することができるのである。
【００４８】
付け加えて、図４のように、第１額縁部（１１０）及び第２額縁部（１２０）のそれぞれの端フレーム（１１１，１２１）には、複数のエムボス突起（１６０）またはスリット突起を更に用意する(設ける)ことができる。
【００４９】
従って、第１額縁部（１１０）及び第２額縁部（１２０）がお互いに結合された状態で、使用者がこれを別に分離して個別的に使おうと指を利用して一番上の端フレーム（１１１，１２１）を持って第１額縁部（１１０）及び第２額縁部（１２０）をお互いに分離する場合、エムボス突起（１６０）により指がすべらないので、少量の力で第１額縁部（１１０）と第２額縁部（１２０）を分離させることができる。ここで、スリット突起は別に図示しなかったが、これは幅が狭く長さが長い突起形を持ち、これにより付随する効果は、前述したエンボス突起（１６０）の場合と同様である。
【００５０】
本発明を添付図面と前述された望ましい実施例を参照して説明したが、本発明はこれに限定されず、後述される特許請求範囲によって限定される。
【００５１】
従って、本技術分野の通常の知識を持った者なら、後述される特許請求範囲上の技術的思想から脱しない範囲内で本発明を多様に変形及び修正することができる。
【符号の説明】
【００５２】
１００:  額縁
１１０:  第１額縁部
１１１:  端フレーム
１１２:  プレート
１２０:  第２額縁部
１２１:  端フレーム
１３０:  印刷物
１４０:  マグネット
１５０:  アルバム
１６０:  エムボス突起
【図１】
2014008407.tif 000003
【図２】
2014008407.tif 000004
【図３】
2014008407.tif 000005
【図４】
2014008407.tif 000006